【事件の表示】
　特許第２１３２１２９号に関する訂正審判事件について、次のとおり審決する。
【結　論】
　特許第２１３２１２９号に係る明細書を本件審判請求書に添付された訂正明細書のとおり訂正することを認める。
【理　由】
第１．手続の経緯
　本件の特許第２１３２１２９号は，平成４年７月３日（パリ条約による優先権主張　１９９１年７月９日　米国）の出願であって，平成７年１１月１５日に出願公告（特公平７−１０７９８７号）され，平成９年９月１２日に設定登録がなされ，平成２５年６月７日に本件訂正審判が請求されたものである。
　
　
　
第２．請求の趣旨 
　本件訂正審判の請求の趣旨は，特許第２１３２１２９号の明細書を本件請求書に添付した訂正明細書のとおり請求項ごと又は一群の請求項ごとに訂正することを認める，との審決を求めるものである。
　
　
　
第３．本件訂正の内容
　本件訂正の内容は，次のとおりである。
　
１．訂正事項１
　特許請求の範囲の訂正前の請求項１において，
　「公称周波数および第１の位相を有する第１のクロック信号により指示される時刻に，(a)出て行く通信トラヒック（以下において「出行通信トラヒック」と称する）の送信，および(b)入って来る通信トラヒック（以下において「入来通信トラヒック」と称する）の受信，の少なくとも一方を行う第１のユニットと，」とあるうち，「(a)」および「，および(b)入って来る通信トラヒック（以下において「入来通信トラヒック」と称する）の受信，の少なくとも一方」を削除し，
　同「前記公称周波数を有する第２のクロック信号によって指示される時刻に，受信された(a)入来通信トラヒック，および(b)出行通信トラヒック，の少なくとも一方を送信する第２のユニットと，」とあるのを，「前記公称周波数を有する第２のクロック信号によって指示される時刻に，受信された出行通信トラヒックを送信する第２のユニットと，」に訂正し，
　同「(a)前記公称周波数を有し，かつ前記第１の位相から調節できるように固定された第１の量だけ転位させた第２の位相を有する第３のクロック信号によって指示された時刻に，第１のユニットから受信した出行通信トラヒックを第２のユニットに送ること，および(b)前記公称周波数を有し，かつ前記第１の位相から調節できるように固定された第２の量だけ転位させた第３の位相を有する第４のクロック信号によって指示された時刻に，第２のユニットから受信した入来通信トラヒックを第１のユニットに送ること，の少なくとも一方を行うことによって前記の第１および第２のユニット間の通信のインタフェースをとる第３のユニットと，」とあるのを，「前記公称周波数を有し，かつ前記第１の位相から調節できるように固定された第１の量だけ転位させた第２の位相を有する第３のクロック信号によって指示された時刻に，第１のユニットから受信した出行通信トラヒックを第２のユニットに送ることによって前記の第１および第２のユニット間の通信のインタフェースをとる第３のユニットと，」に訂正し，
　同「前記第２のユニットを前記第３のユニットと接続し，それぞれ第２のユニットおよび第３のユニットによって受信のためにそれぞれ第３のユニットおよび第２のユニットに送られる通信トラヒック」とあるのを，「前記第２のユニットを前記第３のユニットと接続し，第３のユニットによって受信のために第２のユニットに送られる出行通信トラヒック」に訂正し，
　同「(a)前記の受信された出行通信トラヒックの第２のユニットによる送信の時刻に先立つ第１の所定の時間枠の中で，第２のユニットが第３のユニットから出行通信トラヒックを受信するかどうかを判断する第１の手段，および(b)前記の受信された入来通信トラヒックの第３のユニットによる送信の時刻に先立つ第１の所定の時間枠の中で，第３のユニットが第２のユニットから入来通信トラヒックを受信するかどうかを判断する第２の手段のうちの少なくとも１つからなる遅延決定手段と，」とあるのを，「前記の受信された出行通信トラヒックの第２のユニットによる送信の時刻に先立つ第１の所定の時間枠の中で，第２のユニットが第３のユニットから出行通信トラヒックを受信するかどうかを判断する第１の手段からなる遅延決定手段と，」に訂正し，
　同「第２のユニットにおける出行通信トラヒックの受信が第１の枠から外れていると判断するか，または第３のユニットにおける入来通信トラヒックの受信が第２の枠から外れていると判断した場合，これに応じて，前記の対応する枠から外れている受信を対応する枠の中に移すために，第２または第３の位相の第１の位相からの変位量を加減する第３の手段と」とあるのを，「第２のユニットにおける出行通信トラヒックの受信が第１の枠から外れていると判断した場合，これに応じて，前記の対応する枠から外れている受信を対応する枠の中に移すために，第２の位相の第１の位相からの第１の変位量を加減する第３の手段と」に訂正する。
（請求項１の記載を引用する訂正後の請求項２，３，６〜８も同様に訂正する）。
　
　
２．訂正事項２
　特許請求の範囲の訂正前の請求項１に
　「出て行く通信トラヒック（以下において「出行通信トラヒック」と称する）」
とあるのを
　「出て行く呼の音声通信トラヒック（以下において「出行通信トラヒック」と称する）」
に訂正する（請求項１の記載を引用する訂正後の請求項２，３，６〜８も同様に訂正する）。
　
　
３．訂正事項３
　特許請求の範囲の訂正前の請求項１に
　「出行通信トラヒック，の少なくとも一方を送信する第２のユニットと，」
　（訂正事項２により，当該記載部分は「出行通信トラヒックを送信する第２のユニット」となる。）
とあるのを
　「出行通信トラヒックを無線電話に送信する第２のユニットと，」
に訂正する（請求項１の記載を引用する訂正後の請求項２，３，６〜８も同様に訂正する）。
　
　
４．訂正事項４
　特許請求の範囲の訂正前の請求項１に
　「を伝送し，変動性の伝送遅延を有する通信媒体と，」
とあるのを
　「を統計的に多重化されたパケットとして伝送し，変動性の伝送遅延を有する通信媒体と，」
に訂正する（請求項１の記載を引用する訂正後の請求項２，３，６〜８も同様に訂正する）。
　
　
５．訂正事項５
　特許請求の範囲の訂正前の請求項４，５，１３，１４を削除する。
　
　
６．訂正事項６
　特許請求の範囲の訂正前の請求項６を
　「【請求項６】　前記第３の手段が，通信の開始時に前記の第１の変位量を，１ステップに，対応する枠の外にある前記受信を対応する枠の中に移すのに必要な量だけ調整し，さらに通信中に前記の第１の変位量を，一連のステップにおいて各ステップ中に同じ所定量の整数倍だけ調整することを特微とする請求項１記載のシステム。」
に訂正する。
　
　
７．訂正事項７
　特許請求の範囲の訂正前の請求項７を
　「【請求項７】　前記第３の手段と連携して動作し，前記第２の位相の変位量が増大されている間は，第１のユニットから送信される出行通信トラヒックに付加的なトラヒックを挿入して第３のユニットに前記の付加的なトラヒックを受信させ，前記第２の位相の変位量が縮小されている間は，第３のユニットによって受信される出行通信トラヒックから第１のユニットによって送信される出行通信トラヒックの一部を削
除す
に訂正する。
　
　
８．訂正事項８
　特許請求の範囲の訂正前の請求項８を
　「【請求項８】　前記第１のユニットが，出行通信トラヒックのストリームを送信
し，
前記第２のユニット
が，出
第１のユニットから出行通信トラヒックのストリームを受信し，これに応じて，受信した出行通信トラヒックをパケット化して，その受信した出行通信トラヒックの前記パケットを第２のユニットに前記第３のクロック信号によって指示される時刻に送信する第４の手
段
を
第２のユニットが第３のユニットから出行通信トラヒックのパケットを前記第１の所定の枠の範囲内で受信するかどうかを，前記第１の手段が判
断す
に訂正する。
　
　
９．訂正事項９
　特許請求の範囲の訂正前の請求項１０を
　「【請求項１０】
　出
信を
受信され
た出
クを
および変動性の伝送遅延を有し，前記第２のユニットを前記第３のユニットに接続する通信媒体を備えた通信システムにおいて；
　公称周波数および第１の位相を有する第１のクロック信号によって指示される時刻
に，第
信を
　受信され
た出
クを
無線電話に
　第
プと
　第
統計的に多重化されたパケットとして
　前
プと
第２のユニットにおける出行通信トラヒックの受信が前記第１の時間枠から外れていると判
断し
２の
に訂正する（請求項１０の記載を引用する訂正後の請求項１１，１５も同様に訂正する）。
　
　
１０．訂正事項１０
　特許請求の範囲の訂正前の請求項１５を
　「【請求項１５】　前記の変位量を加減するステップが，通信の開始時に前記の第１の変位量を，１ステップに，対応する時間枠から外れている受信を対応する枠内に移すのに必要な量だけそれぞれ調節するステップと，
　通信中に前記の第１の変位量を，一連のステップにおいて各ステップに同じ所定量の整数倍だけ調節するステップとからなることを特徴とする請求項１０記載の方法。」
に訂正する。
　
　
１１．訂正事項１１
　特許請求の範囲の訂正前の請求項１６を
　「【請求項１６】　(a)出行通信トラヒックの送信および(b)入来通信トラヒックの受信の少なくとも一方を行う第１のユニット，受信された(a)入来通信トラヒックおよび(b)出行通信トラヒックの少なくとも一方を送信する第２のユニット，前記の第１および第２のユニットの間の通信のインタフェースを行う第３のユニット，および変動性の伝送遅延を有し，前記第２のユニットを前記第３のユニットに接続する通信媒体を備えた通信システムにおいて；公称周波数および第１の位相を有する第１のクロック信号によって指示される時刻に，(a)第１のユニットからの出行通信トラヒックの送信および(b)第１のユニットにおける入来通信トラヒックの受信の少なくとも一方を行うステップと；受信された(a)入来通信トラヒックおよび(b)出行通信トラヒックの少なくとも一方を，前記公称周波数を有する第２のクロック信号によって指示される時刻に，第２のユニットから送信するステップと；
(a)第１のユニットによって送信された出行通信トラヒックを第３のユニットにおいて受信するサブステップに続いて，その第１のユニットから受信した出行通信トラヒックを，前記公称周波数を有し，かつ調節できるように固定された第１の量だけ前記第１の位相から変位した第２の位相を有する第３のクロック信号によって指示される時刻に第３のユニットから第２のユニットに送信するサブステップを行うステップ，および
(b)第２のユニットにより送信された入来通信トラヒックを第３のユニットにおいて受信するサブステップに続いて，その第２のユニットから受信した入来通信トラヒックを，前記公称周波数を有し，かつ調節できるように固定された第２の量だけ前記第１の位相から変位した第３の位相を有する第４のクロック信号によって指示される時刻に第３のユニットから第１のユニットに送信するサブステップを実行するステップ
のうちの少なくとも１つのステップと；
(a)第３のユニットによって送信された出行通信トラヒックを，受信できるように前記通信媒体を介して第２のユニットに伝送するステップ，および
(b)第２のユニットによって送信された入来通信トラヒックを，受信できるように前記通信媒体を介して第３のユニットに伝送するステップ
のうちの少なくとも１つのステップと；
(a)前記の受信された出行通信トラヒックの第２のユニットによる送信の時刻に先立つ第１の所定の時間枠の範囲内に，第２のユニットが第３のユニットから出行通信トラヒックを受信するかどうかを判断するステップ，および
(b)前記の受信された入来通信トラヒックの第３のユニットによる送信の時刻に先立つ第２の所定の時間枠の範囲に，第３のユニットが第２のユニットから入来通信トラヒックを受信するかどうかを判断するステップ
のうちの少なくとも１つのステップと；第２のユニットにおける出行通信トラヒックの受信が前記第１の時間枠から外れていると判断するか，または第３のユニットにおける入来通信トラヒックの受信が前記第２の時間枠から外れていると判断した場合，これに応じて，対応する時間枠から外れている受信時刻を対応する時間枠に移すために，第２または第３の何れかの位相の第１の位相からの変位量を加減するステップとを備えた通信システムの動作方法であって，
　第２の位相の変位量を増大させている間に，第１のユニットから送信された出行通信トラヒックに付加的なトラヒックを挿入して第３のユニットに前記の付加的なトラヒックを受信させるステップと；第２の位相の変位量を減少させている間に，第３のユニットによって受信される出行通信トラヒックから第１のユニットによって送信される出行通信トラヒックの一部を削除するステップと；第３の位相の変位量を増大させている間に，第３のユニットによって受信される入来通信トラヒックに付加的なトラヒックを挿入して，その付加的なトラヒックを第１のユニットに送るステップと；第３の位相の変位量を増大させている間に，第１のユニットによって送信される入来通信トラヒックから第３のユニットによって受信される入来通信トラヒックの一部を削除するステップとをさらに備えたことを特徴とする通信システムの動作方法。」
に訂正する。
　
　
１２．訂正事項１２
　特許請求の範囲の訂正前の請求項１７を
　「【請求項１７】　(a)出行通信トラヒックの送信および(b)入来通信トラヒックの受信の少なくとも一方を行う第１のユニット，受信された(a)入来通信トラヒックおよび(b)出行通信トラヒックの少なくとも一方を送信する第２のユニット，前記の第１および第２のユニットの間の通信のインタフェースを行う第３のユニット，および変動性の伝送遅延を有し，前記第２のユニットを前記第３のユニットに接続する通信媒体を備えた通信システムにおいて；公称周波数および第１の位相を有する第１のクロック信号によって指示される時刻に，(a)第１のユニットからの出行通信トラヒックの送信および(b)第１のユニットにおける入来通信トラヒックの受信の少なくとも一方を行うステップと；受信された(a)入来通信トラヒックおよび(b)出行通信トラヒックの少なくとも一方を，前記公称周波数を有する第２のクロック信号によって指示される時刻に，第２のユニットから送信するステップと；
(a)第１のユニットによって送信された出行通信トラヒックを第３のユニットにおいて受信するサブステップに続いて，その第１のユニットから受信した出行通信トラヒックを，前記公称周波数を有し，かつ調節できるように固定された第１の量だけ前記第１の位相から変位した第２の位相を有する第３のクロック信号によって指示される時刻に第３のユニットから第２のユニットに送信するサブステップを行うステップ，および
(b)第２のユニットにより送信された入来通信トラヒックを第３のユニットにおいて受信するサブステップに続いて，その第２のユニットから受信した入来通信トラヒックを，前記公称周波数を有し，かつ調節できるように固定された第２の量だけ前記第１の位相から変位した第３の位相を有する第４のクロック信号によって指示される時刻に第３のユニットから第１のユニットに送信するサブステップを実行するステップ
のうちの少なくとも１つのステップと；
(a)第３のユニットによって送信された出行通信トラヒックを，受信できるように前記通信媒体を介して第２のユニットに伝送するステップ，および
(b)第２のユニットによって送信された入来通信トラヒックを，受信できるように前記通信媒体を介して第３のユニットに伝送するステップのうちの少なくとも１つのステップと；
(a)前記の受信された出行通信トラヒックの第２のユニットによる送信の時刻に先立つ第１の所定の時間枠の範囲内に，第２のユニットが第３のユニットから出行通信トラヒックを受信するかどうかを判断するステヅプ，および(b)前記の受信された入来通信トラヒックの第３のユニットによる送信の時刻に先立つ第２の所定の時間枠の範囲に，第３のユニットが第２のユニットから入来通信トラヒックを受信するかどうかを判断するステップ
のうちの少なくとも１つのステップと；第２のユニットにおける出行通信トラヒックの受信が前記第１の時間枠から外れていると判断するか，または第３のユニットにおける入来通信トラヒックの受信が前記第２の時間枠から外れていると判断した場合，これに応じて，対応する時間枠から外れている受信時刻を対応する時間枠に移すために，第２または第３の何れかの位相の第１の位相からの変位量を加減するステップとを備えた通信システムの動作方法であって，
前記第１のユニットが，出行通信トラヒックのストリームの送信および入来通信トラヒックのストリームの受信を行い，前記第２のユニットが，受信した入来通信トラヒックのパケットの送信および出行通信トラヒックの送信のための出行通信トラヒックのパケットの受信を行う通信システムにおいて，
第１のユニットによって送信された出行通信トラヒックを第３のユニットにおいて受信するサブステップが，
第１のユニットから前記出行通信トラヒックのストリームを受信するサブステップと，
前記の受信した出行通信トラヒックをパケット化するサブステップとからなり，
第３のユニットから第２のユニットに送信するサブステップが，前記の受信した出行通信トラヒックのパケットを前記第３のクロック信号によって指示される時刻に第２のユニットに送るサブステップからなり，
第２のユニットにより送信された入来通信トラヒックを第３のユニットにおいて受信するサブステップが，
第２のユニットから前記入来通信トラヒックのパケットを受信するサブステップと，
前記の受信した入来通信トラヒックを非パケット化するサブステップとからなり，
第３のユニットから第１のユニットに送信するサブステップが，前記の受信し非パケット化した入来通信トラヒックを前記第４のクロック信号によって指示される時刻に第１のユニットに向けて送信するサブステップからなり，
第２のユニットが第３のユニットから出行通信トラヒックを受信するかどうかを判断するステップが，第２のユニットが第３のユニットから出行通信トラヒックのパケットを前記第１の所定の時間枠の範囲内に受信するかどうかを判断するステップからなり，
第３のユニットが第２のユニットから入来通信トラヒックを受信するかどうかを判断するステップが，第３のユニットが第２のユニットから入来通信トラヒックのパケットを前記第２の所定の時間枠の範囲内に受信するかどうかを判断するステップからなることを特微とする通信システムの動作方法。」
に訂正する。
　
　
１３．訂正事項１３
　特許請求の範囲の請求項１９として
　「【請求項１９】　公称周波数および第１の位相を有する第１のクロック信号により指示される時刻に，入って来る呼の音声通信トラヒック（以下において「入来通信トラヒック」と称する）の受信を行う第１のユニットと，
　前記公称周波数を有する第２のクロック信号によって指示される時刻に，無線電話から受信された入来通信トラヒックを送信する第２のユニットと，
　前記公称周波数を有し，かつ前記第１の位相から調節できるように固定された第２の量だけ転位させた第３の位相を有する第４のクロック信号によって指示された時刻に，第２のユニットから受信した入来通信トラヒックを第１のユニットに送ることによって前記の第１および第２のユニット間の通信のインタフェースをとる第３のユニットと，
　前記第２のユニットを前記第３のユニットと接続し，第２のユニットによって受信のために第３のユニットに送られる入来通信トラヒックを統計的に多重化されたパケットとして伝送し，変動性の伝送遅延を有する通信媒体と，
　前記の受信された入来通信トラヒックの第３のユニットによる送信の時刻に先立つ第２の所定の時間枠の中で，第３のユニットが第２のユニットから入来通信トラヒックを受信するかどうかを判断する第２の手段からなる遅延決定手段と，
第３のユニットにおける入来通信トラヒックの受信が第２の枠から外れていると判断した場合，これに応じて，前記の対応する枠から外れている受信を対応する枠の中に移すために，第３の位相の第１の位相からの第２の変位量を加減する第３の手段とを備えたことを特徴とする通信システム。」
を追加する。
　
　
１４．訂正事項１４
　特許請求の範囲の請求項２０として
　「【請求項２０】　第３のユニットにおける入来通信トラヒックの受信が前記第２の時間枠より遅れていると第２の手段が判断した場合，これに応じて，前記第３の手段が，前記第１の位相からの前記第３の位相の変位量を大きくすることを特微とする請求項１９記載のシステム。」
を追加する。
　
　
１５．訂正事項１５
　特許請求の範囲の請求項２１として
　「【請求項２１】　第３のユニットにおける入来通信トラヒックの受信が前記第２の時間枠より進んでいると第２の手段が判断した場合，これに応じて，前記第３の手段が，前記第１の位相からの前記第３の位相の変位量を小さくすることを特微とする請求項２０記載のシステム。」
を追加する。
　
　
１６．訂正事項１６
　特許請求の範囲の請求項２２として
　「【請求項２２】　前記第３の手段が，通信の開始時に前記の第２の変位量を，１ステップに，対応する枠の外にある前記受信を対応する枠の中に移すのに必要な量だけ調整し，さらに通信中に前記の第２の変位量を，一連のステップにおいて各ステップ中に同じ所定量の整数倍だけ調整することを特徴とする請求項１９記載のシステム。」
を追加する。
　
　
１７．訂正事項１７
　特許請求の範囲の請求項２３として
　「【請求項２３】　前記第３の手段と連携して動作し，前記第３の位相の変位量が増大されている間は，第３のユニットによって受信される入来通信トラヒックに付加的なトラヒックを挿入して，その付加的なトラヒックを第１のユニットに送り，前記第３の位相の変位量が縮小されている間は，第１のユニットに送信される入来通信トラヒックから第３のユニットによって受信される入来通信トラヒックの一部を削除する第４の手段をさらに備えたことを特徴とする請求項１９記載のシステム。」
を追加する。
　
　
１８．訂正事項１８
　特許請求の範囲の請求項２４として
　「【請求項２４】　前記第１のユニットが，入来通信トラヒックのストリームを受信し，
前記第２のユニットが，受信した入来通信トラヒックのパケットを送信し，前記第３のユニットが，
第２のユニットから入来通信トラヒックのパケットを受信し，これに応じて，
その受信した入来通信トラヒックのパケットを非パケット化して，その受信し非パケット化した入来通信トラヒックを第１のユニットに向けて第４のクロック信号によって指示される時刻に送信する第５の手段を備え，
第３のユニットが第２のユニットから入来通信トラヒックのパケットを前記第２の所定の枠の範囲内で受信するかどうかを，前記第２の手段が判断することを特徴とする請求項１９記載のシステム。」
を追加する。
　
　
１９．訂正事項１９
　特許請求の範囲の請求項２５として
　「【請求項２５】　入来通信トラヒックの受信を行う第１のユニット，受信された入来通信トラヒックを送信する第２のユニット，前記の第１および第２のユニットの間の通信のインタフェースを行う第３のユニット，および変動性の伝送遅延を有し，前記第２のユニットを前記第３のユニットに接続する通信媒体を備えた通信システムにおいて；
　公称周波数および第１の位相を有する第１のクロック信号によって指示される時刻に，第１のユニットにおける入来通信トラヒックの受信を行うステップと；
　無線電話から受信された入来通信トラヒックを，前記公称周波数を有する第２のクロック信号によって指示される時刻に，第２のユニットから送信するステップと；
　第２のユニットにより送信された入来通信トラヒックを第３のユニットにおいて受信するサブステップに続いて，その第２のユニットから受信した入来通信トラヒックを，前記公称周波数を有し，かつ調節できるように固定された第２の量だけ前記第１の位相から変位した第３の位相を有する第４のクロック信号によって指示される時刻に第３のユニットから第１のユニットに送信するサブステップを実行するステップと；
　第２のユニットによって送信された入来通信トラヒックを，受信できるように前記通信媒体を介して第３のユニットに統計的に多重化されたパケットとして伝送するステップと；
　前記の受信された入来通信トラヒックの第３のユニットによる送信の時刻に先立つ第２の所定の時間枠の範囲に，第３のユニットが第２のユニットから入来通信トラヒックを受信するかどうかを判断するステップと；
　第３のユニットにおける入来通信トラヒックの受信が前記第２の時間枠から外れていると判断した場合，これに応じて，対応する時間枠から外れている受信時刻を対応する時間枠に移すために，第３の位相の第１の位相からの変位量を加減するステップとを備えたことを特徴とする通信システムの動作方法。」
を追加する。
　
　
２０．訂正事項２０
　特許請求の範囲の請求項２６として
　「【請求項２６】　前記の変位量を加減するステップが，第３のユニットにおける入来通信トラヒックの受信時刻が第２の時間枠より遅れているとの判断に応じて，第１の位相からの第３の位相の変位量を増大させるステップからなることを特微とする請求項２５記載の方法。」
を追加する。
　
　
２１．訂正事項２１
　特許請求の範囲の請求項２７として
　「【請求項２７】　前記の変位量を加減するステップが，第３のユニットにおける入来通信トラヒックの受信時刻が第２の時間枠より進んでいるとの判断に応じて，第１の位相からの第３の位相の変位量を減少させるステップをさらに含むことを特徴とする請求項２６記載の方法。」
を追加する。
　
　
２２．訂正事項２２
　特許請求の範囲の請求項２８として
　「【請求項２８】　前記の変位量を加減するステップが，通信の開始時に前記の第２の変位量を，１ステップに，対応する時間枠から外れている受信を対応する枠内に移すのに必要な量だけそれぞれ調節するステップと，
通信中に前記の第２の変位量を，一連のステップにおいて各ステップに同じ所定量の整数倍だけ調節するステップとからなることを特微とする請求項２５記載の方法。」
を追加する。
　
　
　
第４．当審の判断 
　以下，訂正の目的の適否，新規事項の有無，及び特許請求の範囲の拡張・変更の存否について検討する。
　
１．訂正事項１〜４について 
　訂正事項１〜４は，特許請求の範囲の請求項１についての訂正事項である。
　
（１）訂正事項１について
　訂正前の特許請求の範囲の請求項１は次のとおりである。
【請求項１】  公称周波数および第１の位相を有する第１のクロック信号により指示される時刻に，(a)出て行く通信トラヒック（以下において「出行通信トラヒック」と称する）の送信，および(b)入って来る通信トラヒック（以下において「入来通信トラヒック」と称する）の受信，の少なくとも一方を行う第１のユニットと，
前記公称周波数を有する第２のクロック信号によって指示される時刻に，受信された(a)入来通信トラヒック，および(b)出行通信トラヒック，の少なくとも一方を送信する第２のユニットと，
(a)前記公称周波数を有し，かつ前記第１の位相から調節できるように固定された第１の量だけ転位させた第２の位相を有する第３のクロック信号によって指示された時刻に，第１のユニットから受信した出行通信トラヒックを第２のユニットに送ること，および(b)前記公称周波数を有し，かつ前記第１の位相から調節できるように固定された第２の量だけ転位させた第３の位相を有する第４のクロック信号によって指示された時刻に，第２のユニットから受信した入来通信トラヒックを第１のユニットに送ること，の少なくとも一方を行うことによって前記の第１および第２のユニット間の通信のインタフェースをとる第３のユニットと，
前記第２のユニットを前記第３のユニットと接続し，それぞれ第２のユニットおよび第３のユニットによって受信のためにそれぞれ第３のユニットおよび第２のユニットに送られる通信トラヒックを伝送し，変動性の伝送遅延を有する通信媒体と，
(a)前記の受信された出行通信トラヒックの第２のユニットによる送信の時刻に先立つ第１の所定の時間枠の中で，第２のユニットが第３のユニットから出行通信トラヒックを受信するかどうかを判断する第１の手段，および
(b)前記の受信された入来通信トラヒックの第３のユニットによる送信の時刻に先立つ第１の所定の時間枠の中で，第３のユニットが第２のユニットから入来通信トラヒックを受信するかどうかを判断する第２の手段
のうちの少なくとも１つからなる遅延決定手段と，
第２のユニットにおける出行通信トラヒックの受信が第１の枠から外れていると判断するか，または第３のユニットにおける入来通信トラヒックの受信が第２の枠から外れていると判断した場合，これに応じて，前記の対応する枠から外れている受信を対応する枠の中に移すために，第２または第３の位相の第１の位相からの変位量を加減する第３の手段とを備えたことを特徴とする通信システム。
　
　当該記載によれば，「(a)・・・，および(b)・・・，の少なくとも一方」の記載からみて，訂正前の請求項１では，出行通信トラヒックに関する構成，入来通信トラヒックに関する構成の少なくとも一方，すなわち，(i)「出行通信トラヒック」に関する構成のみ，(ii)「入来通信トラヒック」に関する構成のみ，(iii)「出行通信トラヒック」に関する構成及び「入来通信トラヒック」に関する構成の３態様を包含していたと認められる。
　ここで，訂正前の請求項１の２段落目に「前記公称周波数を有する第２のクロック信号によって指示される時刻に，受信された(a)入来通信トラヒック，および(b)出行通信トラヒック，の少なくとも一方を送信する第２のユニット」と記載されており，「(a)」及び「(b)」と「出行通信トラヒック」及び「入来通信トラヒック」との関係がその他の段落のものと異なっているが，各段落の技術内容は，入来通信トラヒック（いわゆる逆方向リンクの通信トラフィックと認められる。）ごと，出行通信トラヒック（いわゆる順方向リンクの通信トラフィックと認められる。）ごとに関係することは当業者に自明であるから，「(a)」，「(b)」は単に２つの選択肢を区別のためのものであって，特段の意味はないことは明らかである。
　そして，訂正事項１は，上記３態様の選択肢のうち「出行通信トラヒック」に関する構成のみに限定するものであるから，択一的記載の要素の削除ということができ，特許請求の範囲の減縮に該当する。また，訂正事項１は，出願当初の明細書の範囲内のものであり，実質上特許請求の範囲を拡張し，又は変更するものでもないことも明らかである。
　
（２）訂正事項２について
　訂正事項２は，訂正前の請求項１では「通信トラヒック」としていたものを「呼の音声通信トラヒック」として限定するものであるから，特許請求の範囲の減縮に該当する。
　
　また，特許明細書には以下の記載がある。
【００３８】・・・水準２のプロトコルによって伝達される水準３のプロトコルのデータ単位は，一般にパケットと称し，水準２のプロトコルのデータ単位は，一般にフレームと称する。・・・ＤＣＳ２０１からチャネル要素２４５へと出て行くパケット３５０の場合，パケット番号は，新たな各呼の開始時に０で始まる。チャネル要素２４５からＤＣＳ２０１に入って来るパケット３５０の場合，パケット番号は，全ての移動電話２０３およびセル２０２が同期しているマスター・タイミング信号から得られる。・・・音声／信号タイプのフィールド３２６により，パケット３５０によって伝達される情報の種類---音声トラヒックのみか，音声と信号か，または信号のみか---が識別される。そして，音声／信号データ・フィールド３２７により，呼の音声トラヒック，信号情報，または両者の混合体がチャネル要素２４５との間で伝達される。
【００５５】・・・逆方向の場合，ボコーダ６０４は，１６０バイトのＣＰＭ音声標本を受信し，それに対し音声圧縮関数を実行して，圧縮された音声のトラヒック・フレームをバッファ６０３を介してプロセッサ６０２に規則的な間隔で（２０ミリ秒ごとに）出力する。・・・
【００７４】ボコーダ６０４から受信されたトラヒック・フレーム（音声情報の区分）についてプロセッサ６０２によって実行される関数を図１５に示す。・・・
【０１２０】・・・ここで，図２のシステム全体に渡って呼経路が完全に確立され，呼トラヒックを収容するパケットが，選択されたチャネル要素２４５と呼の発信元との間をサービス回路６１２を通して流れることができる。
　
　以上の記載によれば，第１のユニット，第２のユニット，第３のユニット間で送受信される「通信トラヒック」が「呼の音声通信トラヒック」であることは明らかである。
　したがって，訂正事項２は，出願当初の明細書の範囲内のものであり，実質上特許請求の範囲を拡張し，又は変更するものでもないことも明らかである。　
　
（３）訂正事項３について
　訂正事項３は，訂正前の請求項１では特定されていなかった，第２のユニットによる出行通信トラヒックの「送信」を，「無線電話に」対して行うことに限定するものであるから，特許請求の範囲の減縮に該当する。
　また，【００３８】の「ＤＣＳ２０１からチャネル要素２４５へと出て行くパケット３５０の場合，パケット番号は，新たな各呼の開始時に０で始まる。チャネル要素２４５からＤＣＳ２０１に入って来るパケット３５０の場合，パケット番号は，全ての移動電話２０３およびセル２０２が同期しているマスター・タイミング信号から得られる。」の記載によれば，「出行通信トラヒック」とは，いわゆる順方向リンクの通信トラフィックと認められ，第１のユニットに相当するボコーダ６０４→第３のユニットに相当するプロセッサ６０２→第２のユニットに相当するチャネル要素２４５→移動電話２０３に送信されるものであるから，出願当初の明細書の範囲内のものであり，実質上特許請求の範囲を拡張し，又は変更するものでもないことも明らかである。
　
（４）訂正事項４について
　訂正事項４は，訂正前の請求項１では特定されていなかった，「通信トラヒックの伝送」を，「統計的に多重化されたパケットとして」行うことを限定するものであるから，特許請求の範囲の減縮に該当する。
　
　また，特許明細書には以下の記載がある。
【００１３】以下における説明用の実施例の説明では，水準３の「パケット」と水準２の「フレーム」を区別するが，分かりやすくするために，本文および特許請求の範囲において「パケット］という用語を使用する場合，「パケット」および「フレーム」の何れか，または両方を含むものとする。
【００３０】・・・まず，個々のセル２０２が，ＤＣＳ２０１の１つ以上のセル相互接続モジュール（ＣＩＭ）２０９にトランク２０７によって接続される。さらに，個々のＤＣＳ２０１のセル相互接続モジュール２０９が，そのＤＣＳ２０１の各音声符号器モジュール（ＳＣＭ）２２０に光ファイバ光学的パケット交換トランク２１０によってそれぞれ接続される。・・・
【００３８】図９は，呼のトラヒック，信号またはその両方を伝えるために使用されるプロトコル３５０であり，一方，図１０は，専ら特別な種類の信号を伝えるプロトコル３５１である。プロトコル３５０および３５１は，共に図７および８のフレームによって実現される。水準２のプロトコルによって伝達される水準３のプロトコルのデータ単位は，一般にパケットと称し，水準２のプロトコルのデータ単位は，一般にフレームと称する。・・・
【００４０】セルラ・コントローラ２４４により，複数のチャネル要素２４５がＴＤＭバス１４０に結合される。各クラスタ・コントローラ２４４は，割り当てられた入力および出力の「パイプ」を通してＴＤＭバス１４０上で通信を行う。この割り当ては，管理が可能で，一般にシステムの初期化の際に行われる。具体的には，各「パイプ」によって，ＴＤＭバス１４０上に複数（例えば４つ）のタイムスロット（即ち，４つの６４Ｋbpsのチャネル）が形成される。・・・クラスタ・コントローラ２４４の動作の結果として，それらが送受信したフレームは，ＴＤＭバス１４０上に統計的に多重化され，これによって，ＴＤＭバス１４０の帯域幅のトラヒック処理能力は，他の伝送方式を超えて大幅に増大する。
【００４４】図３のセル２０２において，ＤＳ１インタフェース２４２は，通常の機能を果たす。即ち，ＴＤＭバス１４０から６４Ｋbpsのタイムスロットを収集して，それらをトランク２０７で伝送するためにＤＳ１フォーマットに多重化し，またこの逆の処理も行う。・・・クラスタ・コントローラ２４４が果たす機能を考察すると，フレームはトランク２０７上に統計的に多重化され，・・・即ち，ＤＳ１設備に関しては２４の独立したＤＳ０チャネルからなるのに対し，この場合の各設備は，それぞれ１つ以上のＤＳ０チャネルの帯域幅からなる多数の独立した「パイプ」からなる。単一のクラスタ・コントローラ２４４によって生成されるＬＡＰＤフレームまたはこれを宛先とするＬＡＰＤフレームが，これらのパイプの各々によって伝達される。これにより，トランク２０７によって与えられる帯域幅のトランク処理容量は，通常の回路交換方式のような他の伝送方式より大いに増大する。・・・
【００４５】・・・汎用ＤＳ１インタフェース２５２により，トランク２０７がＬＡＮバス２５０に接続される。・・・ＤＳ１トランク・インタフェース４４２は，集中ハイウェイ４００から６４Ｋbpsのタイムスロットを収集し，逆ＨＤＬＣフォーマット（図３のセル２０２に関連して説明済み）を逆にして正常に戻し，さらにそのデータをトランク２０７上に送るためにＤＳ１フォーマットへと多重化する機能およびその逆の機能を果たす。
【００４６】・・・逆方向の場合，ＰＰＥ４０１は，基板アドレス３１１を知るために，ＬＡＮバス２５０上に送られた変形ＬＡＰＤフレーム３１０を調べる。ＰＰＥは，求めるアドレス３１１を持つフレームを全て受信し，フレーム３１０からアドレス３１１および３１２を取り除き，それらをフラグ・フィールド３０１で置き換えてＬＡＰＤフレーム３００を形成し，さらにそのフレーム３００を集中ハイウェイ４００上に送る。・・・
【００４８】・・・拡張インタフェース２５３と同様の機能を有する拡張インタフェース２６３によって，セル相互接続モジュール２０９からのファイバ・トランク２１０が，ＬＡＮバス２６０に接続される。・・・
【００４９】・・・セル相互接続モジュール２０９の拡張インタフェース２５３によって各フレーム３１０の前に付けられた基板アドレス３１１に基づいて，各音声処理ユニット２６４が，それにアドレス指定されたフレーム３１０を受信し，それらの内容のパケット化を解除し（即ち，それらのプロトコルを終了させる），受信された各フレームの内容について音声伸張を含む種々の処理機能を果たし，さらに処理されたフレームの内容を１つ１つの呼ごとに割り当てられたタイムスロットにＴＤＭバス１３０上に送り出す。逆方向の場合，音声処理ユニット２６４は，１つ１つの呼ごとに割り当てられたタイムスロットにＴＤＭバス１３０上の情報を受信し，それを基に音声圧縮を含む種々の処理機能を果たし，処理された情報をパケット化し，特定のセル２０２の特定のチャネル要素２４５を特定するＤＬＣＩ３０２を各フレームに含め，ＬＡＮバス２６０上のそのフレームの受信先を特定する基板アドレス３１１およびポート・アドレス３１２を各フレームの前に付けて，そのフレーム３１０をＬＡＮバス２６０上に送り出す。
【００５０】セル相互接続モジュール２０９および音声符号器モジュール２２０の動作の結果として，それらの間で伝送中のフレーム３１０は，トランク２１０上に統計的に多重化され，このトランク上でフレーム中継されるので，トランク２１０によって与えられる帯域幅のトラヒック伝送容量は，回路交換などの他の伝送方式を超えて大いに増大する。
【００７５】・・・次に，ステップ１２３２において，書式化されたトラヒック・フレームをＬＡＰＤフレーム・フォーマットで包んで，ＬＡＰＤフレーム３００（図７参照）を形成する。これには，その呼の移動電話に向かう方向に関係付けられたＤＬＣＩで，且つその呼をサービスしている特定のセル２０２（図３参照）の特定のチャネル要素２４５を特定するものを取り出して，そのＤＬＣＩをＬＡＰＤフレーム３００に含めることも含まれる。・・・
　
　以上の記載及び図１〜図６の記載によれば，音声のトラヒック・フレームは，ボコーダ６０４からプロセッサ６０２に出力され（【００５５】），プロセッサ６０２においてＬＡＰＤフレーム３００が形成される（【００７５】）。プロセッサ６０２を構成要素として含む音声処理ユニット２６４は，受信先を特定する基板アドレス３１１等を各フレームの前に付けたフレーム３１０をＬＡＮバス２６０上に送り出す（【００４９】）。ＬＡＮバス２６０は，拡張インタフェース２６３によってファイバ・トランク２１０と接続され（【００４８】），拡張インタフェース２６３は，各フレーム３１０の前に基板アドレス３１１を付ける（【００４９】）。ここで，音声符号器モジュール２２０とセル相互接続モジュール２０９との間で伝送中のフレーム３１０は，トランク２１０上に統計的に多重化される（【００５０】）。セル相互接続モジュール２０９の汎用ＤＳ１インタフェース２５２に設けられたＰＰＥ４０１は，求めるアドレス３１１を持つフレームを全て受信し（【００４６】），フレーム３１０からアドレス３１１等を取り除いてＬＡＰＤフレーム３００を形成し，これを汎用ＤＳ１インタフェース２５２の集中ハイウェイ４００上に送る（【００４６】）。汎用ＤＳ１インタフェース２５２に設けられたＤＳ１トランク・インタフェース４４２は，集中ハイウェイ４００のデータをＤＳ１フォーマットヘと多重化し，ＤＣＳ２０１のセル相互接続モジュール（ＣＩＭ）２０９のＬＡＮバス２５０とセル２０２とを接続するトランク２０７上に送る（【００４５】，【００３０】）。セル２０２において，ＤＳ１インタフェース２４２は，トランク２０７上に統計的に多重されたフレームを受信し，ＴＤＭバス１４０に伝送し（【００４４】），クラスタ・コントローラ２４４が送信したフレームはＴＤＭバス１４０上に統計的に多重化される（【００４０】）。
　すなわち，第２のユニット（チャネル要素２４５）を第３のユニット（プロセッサ６０２）と接続する通信媒体（トランク２１０，２０７）が，「通信トラヒックの伝送」を「統計的に多重化されたフレームとして」行うことが記載されている。
　ここで，上記【００１３】，【００３８】及び図７〜図１０，図１５の記載によれば，水準２のフレームはそのデータフィールド３０４に水準３のパケットを含んでいるから，統計的に多重化されたフレームとして伝送することは，統計的に多重化されたパケットとして伝送するともいえることは明らかである。したがって，トランク２１０，２０７が「統計的に多重化されたパケットとして伝送し，変動性の伝送遅延を有する通信媒体」に相当するということができる。
　したがって，訂正事項４は，出願当初の明細書の範囲内のものであり，実質上特許請求の範囲を拡張し，又は変更するものでもないことも明らかである。
　
（５）独立特許要件について
　本件訂正前の請求項１に係る発明は，拒絶の理由を発見しないとして特許査定をされたものであって，当該事情を変更する新たな事由もないことから，本件訂正後の請求項１に係る発明についても，特許出願の際に独立して特許を受けることができるものである。
　
　以上のとおりであるから，訂正事項１〜４は，特許法第１２６条第１項ただし書き第１号に掲げる事項を目的とし，かつ，同条第５項，第６項及び第７項の規定に適合する。
　
　
２．訂正事項５について 
　訂正事項５は，特許請求の範囲の請求項４，５，１３，１４についての訂正事項である。
　訂正事項５は，訂正前の請求項４，５，１３，１４を削除するものであるから，特許請求の範囲の減縮に該当する。そして，出願当初の明細書の範囲内のものであり，実質上特許請求の範囲を拡張し，又は変更するものでもないことも明らかである。
　したがって，訂正事項５は，特許法第１２６条第１項ただし書き第１号に掲げる事項を目的とし，かつ，同条第５項及び第６項の規定に適合する。
　
　
３．訂正事項６〜８について 
　訂正事項６，７，８は，それぞれ特許請求の範囲の請求項６，７，８についての訂正事項である。
　訂正事項６，７，８は，訂正事項１により訂正前の請求項１が包含していた３つの選択肢を「出行通信トラヒック」に関する構成のみに限定したことに伴い，請求項１を引用する請求項６，７，８においても「出行通信トラヒック」に関する構成のみに限定するものであるから，特許請求の範囲の減縮に該当する。また，訂正事項６，７，８は，出願当初の明細書の範囲内のものであり，実質上特許請求の範囲を拡張し，又は変更するものでもないことも明らかである。
　更に，本件訂正前の請求項６，７，８に係る発明は，拒絶の理由を発見しないとして特許査定をされたものであって，当該事情を変更する新たな事由もないことから，本件訂正後の請求項６，７，８に係る発明についても，特許出願の際に独立して特許を受けることができるものである。
　以上のとおりであるから，訂正事項６〜８は，特許法第１２６条第１項ただし書き第１号に掲げる事項を目的とし，かつ，同条第５項，第６項及び第７項の規定に適合する。
　
　
４．訂正事項９について
　訂正事項９は，特許請求の範囲の請求項１０についての訂正事項である。
　訂正事項９は，方法の発明である訂正前の請求項１とカテゴリー違いの装置の発明として表現された訂正前の請求項１０について，訂正事項１〜４と同様の内容の訂正を行うものであるから，特許請求の範囲の減縮に該当する。
　また，訂正事項９は，訂正事項１〜４と同様に，出願当初の明細書の範囲内のものであり，実質上特許請求の範囲を拡張し，又は変更するものでもないことも明らかである。
　更に，本件訂正前の請求項１０に係る発明は，拒絶の理由を発見しないとして特許査定をされたものであって，当該事情を変更する新たな事由もないことから，本件訂正後の請求項１０に係る発明についても，特許出願の際に独立して特許を受けることができるものである。
　以上のとおりであるから，訂正事項９は，特許法第１２６条第１項ただし書き第１号に掲げる事項を目的とし，かつ，同条第５項，第６項及び第７項の規定に適合する。
　
　
５．訂正事項１０について
　訂正事項１０は，特許請求の範囲の請求項１５についての訂正事項である。
　訂正事項１０は，訂正事項９により訂正前の請求項１０が包含していた３つの選択肢を「出行通信トラヒック」に関する構成のみに限定したことに伴い，請求項１０を引用する請求項１５においても「出行通信トラヒック」に関する構成のみに限定するものであるから，特許請求の範囲の減縮に該当する。また，訂正事項１０は，出願当初の明細書の範囲内のものであり，実質上特許請求の範囲を拡張し，又は変更するものでもないことも明らかである。
　更に，本件訂正前の請求項１５に係る発明は，拒絶の理由を発見しないとして特許査定をされたものであって，当該事情を変更する新たな事由もないことから，本件訂正後の請求項１５に係る発明についても，特許出願の際に独立して特許を受けることができるものである。
　以上のとおりであるから，訂正事項１０は，特許法第１２６条第１項ただし書き第１号に掲げる事項を目的とし，かつ，同条第５項，第６項及び第７項の規定に適合する。
　
　
６．訂正事項１１，１２について
　訂正事項１１，１２は，それぞれ特許請求の範囲の請求項１６，１７についての訂正事項である。
　訂正事項１１，１２は，訂正前の請求項１６，１７が訂正前の請求項１０を引用していたのを，請求項１６，１７に訂正前の請求項１０の記載を追加することによって独立請求項とするものであるから，他の請求項の記載を引用する請求項の記載を当該他の請求項の記載を引用しないものとすることに該当する。そして，訂正事項１１，１２は，出願当初の明細書の範囲内のものであり，実質上特許請求の範囲を拡張し，又は変更するものでもないことも明らかである。
　したがって，訂正事項１１，１２は，特許法第１２６条第１項ただし書き第４号に掲げる事項を目的とし，かつ，同条第５項及び第６項の規定に適合する。
　
　
７．訂正事項１３について
　上記「１．」の「（１）訂正事項１について」のとおり，訂正前の請求項１では，出行通信トラヒックに関する構成，入来通信トラヒックに関する構成の少なくとも一方，すなわち，(i)「出行通信トラヒック」に関する構成のみ，(ii)「入来通信トラヒック」に関する構成のみ，(iii)「出行通信トラヒック」に関する構成及び「入来通信トラヒック」に関する構成の３態様を包含していたと認められるところ，訂正事項１により請求項１が(i)「出行通信トラヒック」に関する構成のみに限定されたことに伴い，訂正事項１３は，訂正前の請求項１を(ii)「入来通信トラヒック」に関する構成のみに限定して新たに請求項１９として追加するものである。
　また，訂正事項１３は，訂正事項２と同様に，訂正前の請求項１では「通信トラヒック」としていたものを「呼の音声通信トラヒック」として限定するものである。
　また，訂正事項１３は，訂正事項３と同様に，訂正前の請求項１では特定されていなかった，第２のユニットによる入来通信トラヒックの「受信」を，「無線電話から」受信されたことに限定するものである。
　更に，訂正事項１３は，訂正事項４と同様に，訂正前の請求項１では特定されていなかった，「通信トラヒックの伝送」を，「統計的に多重化されたパケットとして」行うことを限定するものである。
　したがって，訂正事項１３は，特許請求の範囲の減縮に該当する。
　
　そして，上記「１．」の「（１）訂正事項１について」及び「（４）訂正事項４について」のとおり，「通信トラヒック」としていたものを「呼の音声通信トラヒック」とすること，「通信トラヒックの伝送」を「統計的に多重化されたパケットとして」行うこととすることは，いずれも出願当初の明細書の範囲内のものであり，実質上特許請求の範囲を拡張し，又は変更するものでもないことも明らかである。
　また，【００３８】の「ＤＣＳ２０１からチャネル要素２４５へと出て行くパケット３５０の場合，パケット番号は，新たな各呼の開始時に０で始まる。チャネル要素２４５からＤＣＳ２０１に入って来るパケット３５０の場合，パケット番号は，全ての移動電話２０３およびセル２０２が同期しているマスター・タイミング信号から得られる。」の記載によれば，「入来通信トラヒック」とは，いわゆる逆方向リンクの通信トラフィックと認められ，移動電話２０３→第２のユニットに相当するチャネル要素２４５→第３のユニットに相当するプロセッサ６０２→第１のユニットに相当するボコーダ６０４に送信されるものであるから，第２のユニットによる入来通信トラヒックの「受信」を「無線電話から」受信されたこととすることも，出願当初の明細書の範囲内のものであり，実質上特許請求の範囲を拡張し，又は変更するものでもないことも明らかである。
　
　そして，本件訂正前の請求項１に係る発明は，拒絶の理由を発見しないとして特許査定をされたものであって，当該事情を変更する新たな事由もないことから，本件訂正後の請求項１９に係る発明についても，特許出願の際に独立して特許を受けることができるものである。
　
　以上のとおりであるから，訂正事項１３は，特許法第１２６条第１項ただし書き第１号に掲げる事項を目的とし，かつ，同条第５項，第６項及び第７項の規定に適合する。
　
　
８．訂正事項１４，１５について 
　訂正事項１４，１５は，訂正事項１により訂正前の請求項１が包含していた３つの選択肢を「出行通信トラヒック」に関する構成のみに限定したことに伴い，訂正事項１３により，訂正前の請求項１を(ii)「入来通信トラヒック」に関する構成のみに限定して新たに請求項１９として追加したことに対応して，訂正前の請求項１を引用する訂正前の請求項４，５の内容を，請求項１９を引用する請求項２０，２１として追加するものであるから，特許請求の範囲の減縮に該当する。また，訂正事項１４，１５は，出願当初の明細書の範囲内のものであり，実質上特許請求の範囲を拡張し，又は変更するものでもないことも明らかである。
　更に，本件訂正前の請求項４，５に係る発明は，拒絶の理由を発見しないとして特許査定をされたものであって，当該事情を変更する新たな事由もないことから，本件訂正後の請求項２０，２１に係る発明についても，特許出願の際に独立して特許を受けることができるものである。
　以上のとおりであるから，訂正事項１４，１５は，特許法第１２６条第１項ただし書き第１号に掲げる事項を目的とし，かつ，同条第５項，第６項及び第７項の規定に適合する。
　
　
９．訂正事項１６〜１８について 
　訂正事項１６，１７，１８は，訂正事項１により訂正前の請求項１が包含していた３つの選択肢を「出行通信トラヒック」に関する構成のみに限定したことに伴い，訂正事項１３により，訂正前の請求項１を(ii)「入来通信トラヒック」に関する構成のみに限定して新たに請求項１９として追加したことに対応して，訂正前の請求項１を引用する訂正前の請求項６，７，８の内容に関して，「入来通信トラヒック」に関する構成のみに限定して，請求項１９を引用する請求項２２，２３，２４として追加するものであるから，特許請求の範囲の減縮に該当する。また，訂正事項１６，１７，１８は，出願当初の明細書の範囲内のものであり，実質上特許請求の範囲を拡張し，又は変更するものでもないことも明らかである。
　更に，本件訂正前の請求項６，７，８に係る発明は，拒絶の理由を発見しないとして特許査定をされたものであって，当該事情を変更する新たな事由もないことから，本件訂正後の請求項２２，２３，２４に係る発明についても，特許出願の際に独立して特許を受けることができるものである。
　以上のとおりであるから，訂正事項１６，１７，１８は，特許法第１２６条第１項ただし書き第１号に掲げる事項を目的とし，かつ，同条第５項，第６項及び第７項の規定に適合する。
　
　
１０．訂正事項１９について 
　上記「４．訂正事項９について」のとおり，訂正前の請求項１０では，出行通信トラヒックに関する構成，入来通信トラヒックに関する構成の少なくとも一方，すなわち，(i)「出行通信トラヒック」に関する構成のみ，(ii)「入来通信トラヒック」に関する構成のみ，(iii)「出行通信トラヒック」に関する構成及び「入来通信トラヒック」に関する構成の３態様を包含していたと認められるところ，訂正事項９により請求項１０が(i)「出行通信トラヒック」に関する構成のみに限定されたことに伴い，訂正事項１９は，訂正前の請求項１０を(ii)「入来通信トラヒック」に関する構成のみに限定して新たに請求項２５として追加するものである。
　また，訂正事項１９は，訂正事項９，１３と同様に，訂正前の請求項１０では「通信トラヒック」としていたものを「呼の音声通信トラヒック」として限定するものである。
　また，訂正事項１９は，訂正事項１３と同様に，訂正前の請求項１０では特定されていなかった，第２のユニットによる入来通信トラヒックの「受信」を，「無線電話から」受信されたことに限定するものである。
　更に，訂正事項１９は，訂正事項９，１３と同様に，訂正前の請求項１では特定されていなかった，「通信トラヒックの伝送」を，「統計的に多重化されたパケットとして」行うことを限定するものである。
　したがって，訂正事項１９は，特許請求の範囲の減縮に該当する。
　
　また，上記「７．訂正事項１３について」のとおり，訂正事項１９は実質上特許請求の範囲を拡張し，又は変更するものでもないことも明らかである。
　
　更に，本件訂正前の請求項１０に係る発明は，拒絶の理由を発見しないとして特許査定をされたものであって，当該事情を変更する新たな事由もないことから，本件訂正後の請求項２５に係る発明についても，特許出願の際に独立して特許を受けることができるものである。
　以上のとおりであるから，訂正事項１９は，特許法第１２６条第１項ただし書き第１号に掲げる事項を目的とし，かつ，同条第５項，第６項及び第７項の規定に適合する。
　
　
１１．訂正事項２０，２１について 
　訂正事項２０，２１は，訂正事項９により訂正前の請求項１０が包含していた３つの選択肢を「出行通信トラヒック」に関する構成のみに限定したことに伴い，訂正事項１９により，訂正前の請求項１０を(ii)「入来通信トラヒック」に関する構成のみに限定して新たに請求項２５として追加したことに対応して，訂正前の請求項１０を引用する訂正前の請求項１３，１４の内容を，請求項２５を引用する請求項２６，２７として追加するものであるから，特許請求の範囲の減縮に該当する。また，訂正事項２０，２１は，出願当初の明細書の範囲内のものであり，実質上特許請求の範囲を拡張し，又は変更するものでもないことも明らかである。
　更に，本件訂正前の請求項１３，１４に係る発明は，拒絶の理由を発見しないとして特許査定をされたものであって，当該事情を変更する新たな事由もないことから，本件訂正後の請求項２５，２６に係る発明についても，特許出願の際に独立して特許を受けることができるものである。
　以上のとおりであるから，訂正事項２０，２１は，特許法第１２６条第１項ただし書き第１号に掲げる事項を目的とし，かつ，同条第５項，第６項及び第７項の規定に適合する。
　
　
１２．訂正事項２２について 
　訂正事項２２は，訂正事項９により訂正前の請求項１０が包含していた３つの選択肢を「出行通信トラヒック」に関する構成のみに限定したことに伴い，訂正事項１９により，訂正前の請求項１０を(ii)「入来通信トラヒック」に関する構成のみに限定して新たに請求項２５として追加したことに対応して，訂正前の請求項１０を引用する訂正前の請求項１５の内容に関して，「入来通信トラヒック」に関する構成のみに限定して，請求項２５を引用する請求項２８として追加するものであるから，特許請求の範囲の減縮に該当する。また，訂正事項２２は，出願当初の明細書の範囲内のものであり，実質上特許請求の範囲を拡張し，又は変更するものでもないことも明らかである。
　更に，本件訂正前の請求項１５に係る発明は，拒絶の理由を発見しないとして特許査定をされたものであって，当該事情を変更する新たな事由もないことから，本件訂正後の請求項２８に係る発明についても，特許出願の際に独立して特許を受けることができるものである。
　以上のとおりであるから，訂正事項２２は，特許法第１２６条第１項ただし書き第１号に掲げる事項を目的とし，かつ，同条第５項，第６項及び第７項の規定に適合する。
　
　
　
第５．むすび 
　したがって，本件審判の請求は，特許法第１２６条第１項ただし書き第１号もしくは第４号に掲げる事項を目的とし，かつ，同条第５項，第６項及び第７項の規定に適合する。
　
　よって，結論のとおり審決する。